(57)【特許請求の範囲】
【請求項１】
複数のフィルタを択一的に切り換えて使用する無線通信機において、
前記複数のフィルタを択一的に切り換えるための複数組のダイオードスイッチと、
前記複数のダイオードスイッチの何れか１組に順方向の電圧を印可する印可手段と、
順方向の電圧が印可されてオン状態になった何れか１組のダイオードスイッチに流れる順方向電流を、省電力指令信号が出力される省電力モードでは非抑制状態から抑制状態に切り換え制御し、省電力指令信号が出力されない通常モードでは抑制状態から非抑制状態に切り換え制御する制御手段と、を備えるとともに、
前記省電力指令信号を出力する省電力モードスイッチを備えることによって、
当該無線通信機の消費電力を低減したい場合に前記省電力モードスイッチが押されると前記ダイオードスイッチに流れる順方向電流を抑制するように構成したことを特徴とする無線通信機。
【発明の詳細な説明】
【０００１】
【発明の属する技術分野】
本発明は、複数のフィルタを択一的に切り換えて使用する無線通信機に関するものであり、特に、フィルタの切り換えに使用するダイオードスイッチの省電力化を図る技術に関するものである。
【０００２】
【従来の技術】
従来より、無線通信機には、種々の部分にダイオードスイッチが使用されている。
ダイオードスイッチのオン／オフ動作は、ダイオードスイッチに順方向の電流を流すことによって前記ダイオードスイッチをオン状態にし、前記順方向の電流を止めることによって前記ダイオードスイッチをオフ状態にすることで制御されている。
【０００３】
ダイオードスイッチによってアナログ信号をオン／オフ制御する場合には、オン動作時における通過するアナログ信号の歪みを低減するために充分な順方向電流を流す必要がある。
例えば、ＨＦ帯のトランシーバ及び受信機では、ＩＭＤ特性（放送局、業務局等の強力な電波によって回路内で歪みが発生し、目的とする信号の受信が妨害されることに対する耐力特性）が重要視される。
そして、（ＨＦ帯のトランシーバ及び）受信機の場合には、優れたＩＭＤ特性を得るためやその他の性能を優れたものとするために、受信した信号を選択的に通過させるための複数のバンドパスフィルタが使用されている。
そして、これらのバンドパスフィルタの切り換えには、図３に示したように、ダイオードスイッチが採用されることが多い。
【０００４】
図３において、101、102、103はそれぞれ異なる特性のバンドパスフィルタであり、ダイオードスイッチを用いた切り換え回路201、202、203によって切り換えられるように構成されている。前記切り換え回路は、制御回路300からの切り換え用の制御電圧が印加されると、印加されたダイオードがオンされて信号が導通可能な状態になり、そのバンドパスフィルタが選択されたことになる。
即ち、前記制御回路300に選択指令信号が入力されると、選択指令信号によって指定された切り換え回路にのみ切り換え用の制御電圧が印加されるので、印加された切り換え回路のみがオンされて、そのバンドパスフィルタが選択されて切り換えられるのである。
バンドパスフィルタの切り換えに限らず、無線通信機には種々の切り換え手段としてダイオードスイッチが多数採用されている。
【０００５】
【発明が解決しようとする課題】
ところが、上述したような従来のダイオードスイッチを用いた切り換え回路の場合には、オンさせている間中は継続して順方向の電流を流し続ける必要があるので、多数のダイオードスイッチを用いている場合には、前記順方向の電流の総量が相当なものとなる。
このような順方向の電流が、携帯用通信機のバッテリーによる運用可能時間を短くするという問題があった。
【０００６】
そこで、本発明は、ダイオードスイッチがオン状態のときに消費する電力を低減して、電力消費量を抑制し、特に、無線通信機のバッテリーによる運用可能時間を長くできる技術を提供することを目的としてなされたものである。
【０００７】
【課題を解決するための手段】
本発明の請求項１の無線通信機においては、
複数のフィルタを択一的に切り換えて使用する無線通信機において、
前記複数のフィルタを択一的に切り換えるための複数組のダイオードスイッチと、
前記複数のダイオードスイッチの何れか１組に順方向の電圧を印可する印可手段と、
順方向の電圧が印可されてオン状態になった何れか１組のダイオードスイッチに流れる順方向電流を、省電力指令信号が出力される省電力モードでは非抑制状態から抑制状態に切り換え制御し、省電力指令信号が出力されない通常モードでは抑制状態から非抑制状態に切り換え制御する制御手段と、を備えるとともに、
前記省電力指令信号を出力する省電力モードスイッチを備えることによって、
当該無線通信機の消費電力を低減したい場合に前記省電力モードスイッチが押されると前記ダイオードスイッチに流れる順方向電流を抑制するように構成した。
【０００８】
【作用】
請求項１によれば、複数のフィルタを択一的に切り換えて使用する無線通信機において、前記複数のフィルタを択一的に切り換えるための複数組のダイオードスイッチに流れる順方向電流を抑制することによって前記ダイオードスイッチにおける消費電力が低減される。
通常、バッテリー駆動状態では屋外での運用が多く、その場合は大型なアンテナは使用できないなど運用環境が整っていないことが多い。このような運用環境においては、ＩＭＤ等の受信性能よりも低消費電力性能が重要視される。
したがって運用状態や動作状態、あるいはユーザーの意志によって本発明のように、ダイオードスイッチに流す電流を抑制して低消費電流性能を改善することが好ましい。
【０００９】
【発明の実施の形態】
以下に、本発明にかかる無線通信機を、その実施の形態を示した図面に基づいて詳細に説明する。
【００１０】
図１は、本発明の無線通信機の実施形態のブロック図である。
アンテナ回路51を介して入力された受信信号は、バンドパスフィルタ部１と高周波増幅回路52とを介して混合回路54に供給される。混合回路54においては局部発振回路55から出力される局部発振周波数と混合されてバンドパスフィルタ53に入力される。
前記バンドパスフィルタ53を通過した信号は中間周波増幅回路56、検波回路57、低周波回路58等の回路によって処理され、スピーカやイヤフォンから出力される。なお、この無線通信機はポータブル運用が可能なようにバッテリー59を備えている。
【００１１】
前記バンドパスフィルタ部１は、それぞれ異なる特性のバンドパスフィルタ11,12,13と、それぞれ前記各バンドパスフィルタの入力側と出力側とに介装されたダイオードスイッチによる切り換え回路21,22,23とを備えている。
【００１２】
３は前記各切り換え回路に順方向の電圧を択一的に印可する印可手段、４は前記印可手段３を介して選択された切り換え回路への順方向電流を抑制状態もしくは非抑制状態の何れかに切り換え制御する制御手段である。
【００１３】
前記切り換え回路21は、入力側のダイオードＤ１と、このダイオードＤ１のカソード側を接地するコイルＬ１及び抵抗器Ｒ５と、前記ダイオードＤ１のアノード側をコイルＬ２と抵抗器Ｒ１との直列回路を介して前記印可手段３へ接続する制御電圧印可配線Ｗ１と、前記コイルＬ２と抵抗器Ｒ１との接続点を接地するコンデンサＣ１とを備えている。
【００１４】
そして、出力側にも同様にダイオードＤ２と、このダイオードＤ２のカソード側を接地するコイルＬ３及び抵抗器Ｒ７と、前記ダイオードＤ２のアノード側をコイルＬ４と抵抗器Ｒ２との直列回路を介して前記印可手段３へ接続する制御電圧印可配線Ｗ２と、前記コイルＬ４と抵抗器Ｒ２との接続点を接地するコンデンサＣ２とを備えている。
なお、前記制御電圧印可配線Ｗ１，Ｗ２は一部を共用することができる。
以上のように構成された入力側のダイオードＤ１回りの回路と、出力側のダイオードＤ２回りの回路とによって、前記切り換え回路21は構成されている。
前記制御電圧印可配線Ｗ１に制御電圧が印可されると、抵抗器Ｒ１、コイルＬ２、ダイオードＤ１、コイルＬ１、及び抵抗器Ｒ５からなる回路が形成されて前記ダイオードＤ１に順方向電圧が印可されるので、前記ダイオードＤ１はオン状態となり入力された高周波信号がバンドパスフィルタ11へ入力される。
前記制御電圧印可配線Ｗ１に制御電圧が印可されない状態では、前記ダイオードＤ１に順方向電圧が印可されないので、前記ダイオードＤ１はオフ状態となり入力された高周波信号は遮断されてバンドパスフィルタ11へ入力されない。
なお、出力側のダイオードＤ２に関しても、上記同様にオン状態とオフ状態とに制御されるので、バンドパスフィルタ11から出力される高周波信号を通過させる状態と遮断する状態とに制御される。
【００１５】
前記切り換え回路21と同様の構成で、前記切り換え回路22、23は構成されている。これらの切り換え回路22、23にも同様にダイオードＤ３，Ｄ４，Ｄ５，Ｄ６が含まれている。
前記切り換え回路22への制御電圧印可配線をＷ３，Ｗ４、前記切り換え回路23への制御電圧印可配線をＷ５，Ｗ６とする。
【００１６】
前記印可手段３は、バンドパスフィルタを選択する選択指令信号が入力されると、前記選択指令信号によって指定された切り換え回路への制御電圧印可配線にのみ切り換え用の制御電圧を印加出力する。この印可手段３は複数のトランジスタ素子を備えたトランジスタアレイで構成され、各トランジスタ素子のベース側に前記選択指令信号が入力され、各トランジスタ素子のコレクタ側には前記制御手段４から出力される制御電圧が印可され、各トランジスタ素子のエミッタ側に前記各制御電圧印可配線が接続されている。
以上の構成において、例えば、バンドパスフィルタ11を選択する選択指令信号が入力されると、制御電圧制御配線Ｗ１，Ｗ２にのみ制御電圧を印可出力する。
【００１７】
前記制御手段４は、前記印可手段３を介して各切り換え回路へ出力される制御電圧の供給配線に直列介装された電流制限用の抵抗値を大小切り換えるものであり、第１の抵抗器Ｒ３と、第２の抵抗器Ｒ４と、前記第２の抵抗器Ｒ４を前記第１の抵抗器Ｒ３に並列接続する状態と分離する状態とに切り換えるトランジスタＴ１とによって構成されている。
そして、通常のモードである初期状態においては、省電力指令信号が出力されないので、前記トランジスタＴ１はオン状態となっており、前記第１の抵抗器Ｒ３と第２の抵抗器Ｒ４とは並列接続状態である。従って並列接続による合成抵抗値が小さくなり前記印可手段３への制御電圧の供給配線に流れる電流は非抑制状態となる。
【００１８】
そして、省電力モードスイッチＰＳが押されて、省電力指令信号がバッファＢを介して前記トランジスタＴ１に入力されると、当該トランジスタＴ１がオン状態からオフ状態に切り換わる。従って、前記第１の抵抗器Ｒ３に並列接続状態であった第２の抵抗器Ｒ４は、前記第１の抵抗器Ｒ３から切り離されるので、前記印可手段３への制御電圧の供給配線に流れる電流は抑制された状態となる。
従って、ダイオードスイッチＤ１、Ｄ２における消費電力は抑制されるのである。
【００１９】
なお、前記省電力モードスイッチＰＳはトグル動作となっており、押す度に、省電力モードと通常のモードとの間で交互に切り換えられる。
【００２０】
以上の説明で参照した図１は、ダイオードスイッチに流れる電流を供給側で制御する方式を例示したものであるが、図２に示したように、ダイオードスイッチに流れる電流を接地側で制御する方式でもよい。
図２において、コイルＬ１と抵抗器Ｒ５との接続点に接続された抵抗器Ｒ６は、トランジスタＴ２によって抵抗器Ｒ５に対して並列接続されて接地される状態と分離する状態とに切り換えるように構成されている。
また、コイルＬ３と抵抗器Ｒ７との接続点に接続された抵抗器Ｒ８は、トランジスタＴ３によって前記抵抗器Ｒ７に対して並列接続されて接地される状態と分離する状態とに切り換えるように構成されている。
図２の場合には、抵抗器Ｒ５，Ｒ６，Ｒ７，Ｒ８とトランジスタＴ２，Ｔ３とで制御手段を構成している。
【００２１】
そして、通常のモードである初期状態においては、省電力指令信号が出力されないので、前記トランジスタＴ２、Ｔ３はオン状態となっており、前記抵抗器Ｒ５と抵抗器Ｒ６、及び前記抵抗器Ｒ７と抵抗器Ｒ８とは並列接続状態である。従って並列接続による合成抵抗値が小さくなり前記コイルＬ１、Ｌ３を流れる電流は非抑制状態となる。
そして、省電力モードスイッチＰＳが押されて、省電力指令信号が前記トランジスタＴ２、Ｔ３に入力されると、当該トランジスタＴ２、Ｔ３がオン状態からオフ状態に切り換わる。従って、前記抵抗器Ｒ５に並列接続状態であった抵抗器Ｒ６は、前記抵抗器Ｒ５から切り離されるので、前記コイルＬ１、Ｌ３を流れる電流は抑制された状態となる。
従って、ダイオードスイッチＤ１、Ｄ２における消費電力は抑制されるのである。
【００２２】
なお、前記省電力指令信号は、省電力モードスイッチＰＳの手動操作によって出力される形態だけでなく、動作状態に応じて自動的に出力される形態も可能である。
【００２３】
【発明の効果】
請求項１の無線通信機によれば、バンドパスフィルタを切り換えるダイオードスイッチに流れる順方向電流を抑制状態に切り換え制御することによって消費電力を低減できるので、特にバッテリー駆動方式のスーパーヘテロダイン方式の無線通信機を長時間作動させることが可能になる。
【図面の簡単な説明】
【図１】本発明にかかる無線通信機の実施の形態の構成を示したブロック図である。
【図２】他の実施の形態の要部のブロック図である。
【図３】従来のダイオードスイッチによるバンドパスフィルタの切り換え回路のブロック図である。
【符号の説明】
１  バンドパスフィルタ部
11,12,13    バンドパスフィルタ
21,22,23    ダイオードスイッチによる切り換え回路
Ｄ１，Ｄ２，Ｄ３，Ｄ４，Ｄ５，Ｄ６  ダイオード
３  印可手段
４  制御手段
59  バッテリー
【図１】
0004022420.tif 000002
【図２】
0004022420.tif 000003
【図３】
0004022420.tif 000004